Podtech/llm-jp-corpus-v4-ja_patent huggingface dataset:
【手続補正書】
【提出日】平成22年12月13日(2010.12.13)
【手続補正１】
【補正対象書類名】特許請求の範囲
【補正対象項目名】全文
【補正方法】変更
【補正の内容】
【特許請求の範囲】
【請求項１】
アミノ酸位置１３〜２８の間でヒトＡβペプチドに特異的に結合する抗体フラグメントを含む分子であって、前記抗体フラグメントが、配列番号１の軽鎖可変領域および配列番号２の重鎖可変領域を含み、ポリエチレングリコール分子が、前記抗体フラグメントの前記重鎖可変領域のＣＤＲに共有結合される、分子。
【請求項２】
前記抗体フラグメントが、Ｆａｂフラグメントである、請求項１に記載の分子。
【請求項３】
前記ポリエチレングリコール分子が、前記配列番号２の重鎖可変領域のアミノ酸位置５６においてシステインに共有結合される、請求項１または２のいずれか１項に記載の分子。
【請求項４】
前記ポリエチレングリコール分子が、約０．５ｋＤ〜約３０ｋＤの分子量を有する、請求項１または２のいずれか１項に記載の分子。
【請求項５】
前記ポリエチレングリコール分子が、約２０ｋＤの分子量を有する、請求項４に記載の分子。
【請求項６】
配列番号１の軽鎖可変領域および配列番号２の重鎖可変領域を有する抗体Ｆａｂフラグメントを含む分子であって、前記抗体Ｆａｂフラグメントが、配列番号２の５６位において２０ｋＤのポリエチレングリコール分子に共有結合される、分子。
【請求項７】
請求項１〜６のいずれか１項に記載の分子を含む、組成物。
【請求項８】
薬理学的に受容可能な担体をさらに含む、請求項７に記載の組成物。
【請求項９】
医薬として使用するための請求項１〜６のいずれか１項に記載の分子。
【請求項１０】
Ａβペプチド活性と関連する状態を処置または予防するための医薬の調製における請求項１〜６のいずれか１項に記載の分子の使用。
【請求項１１】
アルツハイマー病、ダウン症、脳アミロイド血管症（ＣＡＡ）、認知障害、脳卒中、脳内出血、および全般的精神衰弱からなる群より選択される状態を処置または予防するための医薬の調製における請求項１〜６のいずれか１項に記載の分子の使用。
【請求項１２】
アルツハイマー病が、前臨床アルツハイマー病である、請求項１１に記載の分子の使用。
【請求項１３】
アルツハイマー病が、臨床的アルツハイマー病である、請求項１１に記載の分子の使用。
【手続補正書】
【提出日】平成23年3月10日(2011.3.10)
【手続補正１】
【補正対象書類名】特許請求の範囲
【補正対象項目名】全文
【補正方法】変更
【補正の内容】
【特許請求の範囲】
【請求項１】
次式（Ｉ）
【化１】
2010522146.tif 000001
のＬ-シトルリンまたは医薬的に、化粧料的に、もしくは栄養学的に許容されるその塩を含む、
特定の病変において観察される関連タンパク質のカルボニル化の増加を阻害することを意図し、それゆえアルツハイマー病またはパーキンソン病のような神経変性疾患の治療、網膜症、リウマチ性多発関節炎、アテローム性動脈硬化症、筋萎縮性側索硬化症、脳虚血の治療、白内障の問題または全身性感染症（敗血症）の治療、皮膚の老化および目、筋肉および脳のような特に組織の老化に関連する病変の治療、ミトコンドリアの機能異常、すなわちミトコンドリア病を原因とするミオパシーに関連する病変の治療、栄養不足および哺乳動物の寿命の増加に関連する悪液質の治療を特に意図する組成物。
【請求項２】
組成物が、Ｌ-シトルリンまたは医薬的に許容されるその塩を含む医薬組成物であり、Ｌ-シトルリンまたは化粧料的に許容されるその塩を含む化粧処理用の組成物であり、Ｌ−シトルリンを含む栄養補助食品またはＬ-シトルリンまたは栄養学的に許容されるその塩を含む栄養学的療法用の組成物であることを特徴とする、請求項１に記載の組成物。
【請求項３】
１日に１〜３回の投与頻度での0.1 g/kg/日〜0.5 g/kg/日の投与量に対して、１回分の単位Ｌ-シトルリン投与量が2 g〜20 gである、請求項１または２に記載の組成物。
【請求項４】
組成物が、乾燥した形態、水溶液の形態、水性アルコールもしくは油の形態、水中油型もしくは油中水型または多層のエマルジョン、水性もしくは油性ゲルの形態にあることを特徴とする、請求項１〜３のいずれか１項に記載の組成物。
【請求項５】
医薬組成物が経口、局所、経腸または非経口経路により投与し得る形態にあり、化粧用組成物が局所経路により投与し得る形態にあり、栄養学的組成物および栄養補助食品が経口経路により投与し得る形態にあることを特徴とする、請求項１〜４のいずれか１項に記載の組成物。
【請求項６】
経腸または非経口経路により投与し得る形態である場合、経腸または非経口用栄養物と混合し得るか、または消化器用プローブもしくは非経口的栄養補給のＹ-チューブにおいてボーラスで投与し得ることを特徴とする、請求項５に記載の組成物。
【請求項７】
組成物が、ロイシン、グルタミン、アルギニン、オルニチンおよびα-ケトグルタレートまたはα-ケトイソカプロエートのようなそれらの種々の有用な塩のような、栄養不良に関連する悪液質の治療を意図する１つ以上の他の化合物をさらに含むことを特徴とする、請求項１〜６のいずれか１項に記載の組成物。
【請求項８】
ロイシン、グルタミン、アルギニン、オルニチンおよびα-ケトグルタレートまたはα-ケトイソカプロエートのようなそれらの種々の有用な塩のような、栄養不良に関連する悪液質の治療を意図する１つ以上の他の化合物を、それら自体で、あるいは非経口栄養補給を意図する栄養混合物中、または経腸栄養補給を意図する混合物中もしくは経口栄養補給を意図する混合物中にさらに含む医薬組成物であることを特徴とする、請求項１〜７のいずれか１項に記載の組成物。
【請求項９】
タンパク質のカルボニル化の増加に関連する病変の治療の範囲内において、同時に、別々にまたは逐次的に使用する組み合わせ製品として、
- Ｌ-シトルリンまたは医薬的もしくは栄養学的に許容されるそれらの塩と、
- ロイシン、グルタミン、アルギニン、オルニチンおよびα-ケトグルタレートまたはα-ケトイソカプロエートのようなそれらの種々の有用な塩のような、栄養不良に関連する悪液質の治療を意図する少なくとも１つの他の化合物と
をそれら自体で、あるいは非経口栄養補給を意図する栄養混合物中、または経腸栄養補給を意図する混合物中もしくは経口栄養補給を意図する混合物中に含む組成物。
【手続補正書】
【提出日】平成23年2月18日(2011.2.18)
【手続補正１】
【補正対象書類名】明細書
【補正対象項目名】００３２
【補正方法】変更
【補正の内容】
【００３２】
１つの実施態様においては、（メタ）アクリルアミドモノマー（ＩＩＩ）と１種以上の（メタ）アクリル酸エステル副生成物（Ｖ）の生成物混合物は、反応式Ｂに従って、（メタ）アクリル酸エステル（Ｉ）をアミノ官能性化合物（ＩＩ）およびアルコール（ＩＶ）の混合物と反応させることによって、製造される。
【手続補正２】
【補正対象書類名】特許請求の範囲
【補正対象項目名】全文
【補正方法】変更
【補正の内容】
【特許請求の範囲】
【請求項１】
エステル交換反応触媒の存在下に有機溶媒中で（メタ）アクリル酸エステルをアミノ官能性化合物と反応させることを含む、（メタ）アクリルアミドモノマーを製造する方法。
【請求項２】
有機溶媒が無極性有機溶媒であることを特徴とする請求項２に記載の方法。
【請求項３】
有機溶媒が、芳香族炭化水素溶媒、直鎖脂肪族炭化水素溶媒および環状炭化水素溶媒から選ばれることを特徴とする請求項１に記載の方法。
【請求項４】
反応が（メタ）アクリル酸エステルの全仕込み量１００質量部当たり１〜２００質量部の有機溶媒の中で行なわれることを特徴とする請求項１に記載の方法。
【請求項５】
反応が（メタ）アクリル酸エステル化合物１モル当たり０．１モル以上１．０モル未満の量のアミン化合物を使用して行なわれることを特徴とする請求項１に記載の方法。
【請求項６】
反応混合物が０．０１〜１０質量％のエステル交換反応触媒を含むことを特徴とする請求項１に記載の方法。
【請求項７】
反応式Ａ
【化１】
2010522166.tif 000001
（ここで、
Ｒ１はＨまたは（Ｃ１−Ｃ４）アルキルであり、
Ｒ２は脂肪族または芳香族炭化水素基であり、
Ｒ３は反応条件下で実質的に不活性の有機基である。）
に従って、有機溶媒中で、エステル交換反応触媒の存在下に、構造式（Ｉ）の１種以上（メタ）アクリル酸エステルを構造式（ＩＩ）の１種以上のアミノ官能性化合物と反応させて構造式（ＩＩＩ）の（メタ）アクリルアミドモノマーを製造することを特徴とする請求項１に記載の（メタ）アクリルアミドモノマーを製造する方法。
【請求項８】
化合物（ＩＩ）が、構造式（ＩＩ−ａ）
【化２】
2010522166.tif 000002
（ここで、
Ｒ４は、２価の連結基であって、１個以上の炭素原子に置換基が付いていてもよいし、１か所以上の箇所にヘテロ原子が挿入されていてもよく、そして
Ｒ５およびＲ６は、各々独立して、アルキルであるか、またはそれらに結合した窒素原子とともに連結して飽和または不飽和の複素環構造を形成していてもよく、該複素環構造は追加の環構成窒素原子を含んでもよいし、環原子の１個以上がアルキルまたは酸素で置換されていてもよい。）
のジアルキルアミノアルキルアミン化合物であることを特徴とする請求項７に記載の方法。
【請求項９】
Ｒ５とＲ６が連結して飽和または不飽和の単環式複素環構造（ただし該複素環構造は追加の環構成窒素原子を含んでいてもよい。）を形成していることを特徴とする請求項８に記載の方法。
【請求項１０】
Ｒ５とＲ６が連結して飽和または不飽和の単環式複素環構造（ただし該複素環構造は追加の環構成窒素原子を含んでいてもよい。）を形成し、環原子の１個以上がアルキルまたは酸素で置換されていることを特徴とする請求項８に記載の方法。
【請求項１１】
メタクリルアミドモノマー（ＩＩＩ−１）が、反応式Ａ−１
【化３】
2010522166.tif 000003
に従って（メタ）アクリル酸エステル（１−１）をアミノ官能性化合物（ＩＩ−１）と反応させることによって製造されることを特徴とする請求項１に記載の方法。
【請求項１２】
（メタ）アクリルアミドモノマー（ＩＩＩ）および１種以上の（メタ）アクリル酸エステル副生成物（Ｖ）の生成物混合物が、反応式Ｂ
【化４】
2010522166.tif 000004
（ここで、
Ｒ１はＨまたは（Ｃ１−Ｃ４）アルキルであり、
Ｒ２は脂肪族または芳香族炭化水素基であり、
Ｒ３は反応条件下で実質的に不活性の有機基であり、そして
Ｒ７は反応条件下で実質的に不活性の有機基である。）
に従って、（メタ）アクリル酸エステル（Ｉ）を、アミノ官能性化合物（ＩＩ）およびアルコール（ＩＶ）の混合物と反応させることによって製造されることを特徴とする請求項１に記載の方法。
【請求項１３】
アミノ化合物（ＩＩ）およびアルコール（ＩＶ）が、１０℃以上異なる沸点を有する（メタ）アクリルアミドモノマー生成物（ＩＩＩ）と（メタ）アクリル酸エステル副生成物（ＩＶ）を提供するように選択されることを特徴とする請求項１２に記載の方法。
【請求項１４】
（メタ）アクリルアミドモノマー（ＩＩＩ−ａ）と１種以上（メタ）アクリル酸エステル副生成物（Ｖ−ａ）の生成物混合物が、反応式Ｂ−１
【化５】
2010522166.tif 000005
（ここで、
Ｒ１はＨまたは（Ｃ１−Ｃ４）アルキルであり、
Ｒ２は脂肪族または芳香族炭化水素基であり、
Ｒ４は２価の連結基であり、ただし該連結基は１個以上の炭素原子に置換基が付いていてもよいし、１か所以上の箇所にヘテロ原子が挿入されていてもよく、
Ｒ５とＲ６は、各々独立してアルキルであるか、またはそれらに結合した窒素原子とともに連結して飽和または不飽和の複素環構造を形成していてもよく、該複素環構造は追加の環構成窒素原子を含んでいてもよく、環原子の１個以上がアルキルまたは酸素で置換されていてもよく、
Ｒ８は２価の連結基であり、典型的には（Ｃ１−Ｃ６）アルキレンであり、１個以上の炭素原子に置換基が付いていてもよいし、１か所以上の箇所にヘテロ原子が挿入されていてもよく、
Ｒ９およびＲ１０は、各々独立してアルキルであるか、またはそれらに結合した窒素原子とともに連結して飽和または不飽和の複素環構造を形成していてもよく、該複素環構造は追加の環構成窒素原子を含んでいてもよく、環原子の１個以上がアルキルまたは酸素が置換されていてもよい。）
に従って、（メタ）アクリル酸エステル（Ｉ）をアミノ官能性化合物（ＩＩ−ａ）およびアルコール（ＩＶ−ａ）の混合物と反応させることによって製造されることを特徴とする請求項１に記載の方法。
【請求項１５】
Ｒ１はＨまたはメチルであり、
Ｒ２はメチルであり、
Ｒ４およびＲ８は各々独立して（Ｃ１−Ｃ６）アルキレンであり、そして
Ｒ５、Ｒ６、Ｒ９およびＲ１０は各々独立して（Ｃ１−Ｃ６）アルキルである
ことを特徴とする請求項１４に記載の方法。
【請求項１６】
Ｒ９がＲ５と同じであり、そしてＲ１０がＲ６と同じであることを特徴とする請求項１５に記載の方法。
【請求項１７】
メタクリルアミドモノマー（ＩＩＩ−ａ−１）およびメタクリル酸エステル副生成物の生成物混合物は、反応式Ｂ−２
【化６】
2010522166.tif 000006
に従って、メタクリル酸エステル（Ｉ）をアミノ官能性化合物（Ｉ−ａ−１）およびアルコール（ＩＶ−ａ−１）と反応させることによって製造されることを特徴とする請求項１に記載の方法。
【手続補正書】
【提出日】平成23年3月22日(2011.3.22)
【手続補正１】
【補正対象書類名】特許請求の範囲
【補正対象項目名】全文
【補正方法】変更
【補正の内容】
【特許請求の範囲】
【請求項１】
α-アドレナリン作動遮断剤、カルシウムチャンネル遮断剤、およびこれらの組合せから選択される、泌尿器科学的に有益な薬剤を含み、対象の身体への移植または挿入に適しており、移植または挿入を行うと該泌尿器科学的に有益な薬剤の少なくとも一部分が、インビボにおいて放出されることを特徴とし、該医療機器が、泌尿器科学的ステント、結石除去機器、およびカテーテルから選択される泌尿器科学的医療機器。
【請求項２】
前記泌尿器科学的医療機器が、細長い中実機器または細長い中空機器であり、前記泌尿器科学的医療機器が、別の医療機器のチャンネルを介して、前記対象内に導入するのに適したものであるか、ガイドワイヤを通して、前記対象内に導入するのに適したものであるか、あるいは、前記対象内において、ラセン形状を呈するのに適したものである、請求項1記載の泌尿器科学的医療機器。
【請求項３】
複数の異なる泌尿器科学的に有益な薬剤を含む、請求項1記載の泌尿器科学的医療機器。
【請求項４】
前記泌尿器科学的に有益な薬剤が、結石排除を促進するのに有効な量で、インビボにおいて放出される、あるいは前記泌尿器科学的に有益な薬剤が、前記機器と関連する痛みまたは不快感を減じるのに有効な量で、インビボにおいて放出される、あるいは前記泌尿器科学的に有益な薬剤が、尿管平滑筋の弛緩を促進するのに有効な量で、インビボにおいて放出される、請求項1記載の泌尿器科学的医療機器。
【請求項５】
前記泌尿器科学的に有益な薬剤が、カルシウムチャンネル遮断剤であり、前記カルシウムチャンネル遮断剤が、ベンゾチアゼピン、ジヒドロピリジン、アリールアルキルアミン、ピペラジン、およびこれらの組合せから選択されるか、または前記カルシウムチャンネル遮断剤が、ジルチアゼム、ニカルジピン、ニフェジピン、ニモジピン、ベプリジル、ベラパミル、ミベフラジル、これらの薬学的に有効な塩およびエステル、およびこれらの組合せから選択される、請求項1記載の泌尿器科学的医療機器。
【請求項６】
前記泌尿器科学的に有益な薬剤が、α-アドレナリン作動遮断剤であり、前記α-アドレナリン作動遮断剤が、アルフゾシン、ドキサゾシン、プラゾシン、タムスロシン、テラゾシン、これらの薬学的に有効な塩およびエステル、およびこれらの組合せから選択されるか、あるいは前記泌尿器科学的に有益な薬剤が、α-1-アドレナリン作動遮断剤である、請求項1記載の泌尿器科学的医療機器。
【請求項７】
前記医療機器が、前記泌尿器科学的に有益な薬剤を含有する、ポリマー担体領域を含み前記ポリマー担体領域が、泌尿器科学的医療機器本体に相当するか、または前記ポリマー担体領域が、下方の前記泌尿器科学的医療機器本体を、少なくとも部分的に覆っている、層の形状にある、請求項1記載の泌尿器科学的医療機器。
【請求項８】
前記ポリマー担体領域が、コルチコステロイド、麻酔性鎮痛剤、非-麻酔性鎮痛剤、局所麻酔剤、抗生物質、造影剤およびこれらの組合せから選択される補助薬を含む、請求項7記載の泌尿器科学的医療機器。
【請求項９】
前記ポリマー担体領域が、ヒドロゲル生分解性ポリマー、ポリカーボネート、シリコーンホモポリマーおよびコポリマー、ポリウレタン、ポリ(エーテル-b-アミド)、およびアルケンホモポリマーおよびコポリマーから選択されるポリマー、またはエチレン-酢酸ビニルコポリマー、エチレン-メタクリル酸コポリマー、エチレン-アクリル酸コポリマー、およびスチレン-イソブチレンコポリマーから選択されるアルケンコポリマーを含む、請求項7記載の泌尿器科学的医療機器。
【請求項１０】
腎臓結石を治療するための方法であって、以下の工程：(a) 1またはそれ以上の腎臓結石を持つ対象を同定する工程；(b) 該対象に、泌尿器科学的に有益な薬剤を含有する泌尿器科学的医療機器を移植または挿入する工程を含み、該医療機器が、腎臓結石の排除を促進するのに有効な量で、インビボにて該泌尿器科学的に有益な薬剤を放出するのに適したものであることを特徴とし、前記医療機器が、前記泌尿器科学的に有益な薬剤を含有する、ポリマー担体領域を含む、前記方法。
【請求項１１】
前記泌尿器科学的医療機器が、ステントであり、複数の異なる泌尿器科学的に有益な薬剤を含み、更に前記医療機器が、コルチコステロイド、麻酔性鎮痛剤、非-麻酔性鎮痛剤、局所麻酔剤、抗生物質、およびこれらの組合せから選択される補助薬を、インビボにおいて放出するのに適したものである、請求項10記載の方法。
【請求項１２】
前記泌尿器科学的に有益な薬剤が、筋弛緩剤であり、前記泌尿器科学的に有益な薬剤が、尿管の平滑筋弛緩を促進するのに有効な量並びに位置において、インビボにて放出される、請求項10記載の方法。
【請求項１３】
前記泌尿器科学的に有益な薬剤が、カルシウムチャンネル遮断剤であり、前記カルシウムチャンネル遮断剤が、ベンゾチアゼピン、ジヒドロピリジン、アリールアルキルアミン、ピペラジン、およびこれらの組合せから選択され前記カルシウムチャンネル遮断剤が、ジルチアゼム、ニカルジピン、ニフェジピン、ニモジピン、ベプリジル、ベラパミル、ミベフラジル、これらの薬学的に有効な塩およびエステル、およびこれらの組合せから選択される、請求項10記載の方法。
【請求項１４】
前記泌尿器科学的に有益な薬剤が、α-アドレナリン作動遮断剤であるか、またはα-1-アドレナリン作動遮断剤であり、前記α-アドレナリン作動遮断剤が、アルフゾシン、ドキサゾシン、プラゾシン、タムスロシン、テラゾシン、これらの薬学的に有効な塩およびエステル、およびこれらの組合せから選択される、請求項10記載の方法。
【請求項１５】
前記泌尿器科学的に有益な薬剤が、リトドリン、テルブタリン、これらの薬学的に有効な塩およびエステル、およびこれらの組合せから選択されるβ-アドレナリン作動アゴニストであるか、または前記泌尿器科学的に有益な薬剤が、アルブテロールおよびその薬学的に有効な塩およびエステルから選択される気管支拡張薬であるか、または前記泌尿器科学的に有益な薬剤が、マグネシウム塩を含む便通薬であるか、または前記泌尿器科学的に有益な薬剤が、ニトログリセリンを含む一酸化窒素ドナーであるか、または前記泌尿器科学的に有益な薬剤が、プロスタグランジンまたはプロスタグランジン類似体である、請求項10記載の方法。
【手続補正書】
【提出日】平成23年3月4日(2011.3.4)
【手続補正１】
【補正対象書類名】特許請求の範囲
【補正対象項目名】全文
【補正方法】変更
【補正の内容】
【特許請求の範囲】
【請求項１】
神経学的又は精神医学的状態を患っている対象を治療するための医薬であって、
（Ｒ）−スピロ［１−アザビシクロ［２.２.２］オクタン−３,２'（３'Ｈ）−フロ［２,３−ｂ］ピリジン］の０.０００５ミリグラム／kg〜２.０ミリグラム／kgの範囲の少なくとも１回の治療有効用量が投与されるように用いられることを特徴とする、上記化合物を含有する医薬。
【請求項２】
神経学的又は精神医学的状態が、アルツハイマー病、注意欠陥多動性障害（ＡＤＨＤ）、統合失調症に関連する認知機能障害、又は認知機能障害から選ばれる、請求項１に記載の医薬。
【請求項３】
対象に記憶喪失又は認知障害の軽減を与える、請求項２に記載の医薬。
【請求項４】
アルツハイマー病、注意欠陥多動性障害（ＡＤＨＤ）、統合失調症に関連する認知機能障害、又は認知機能障害の対象に記憶喪失又は認知障害の軽減を与えるための医薬であって、
（Ｒ）−スピロ［１−アザビシクロ［２.２.２］オクタン−３,２'（３'Ｈ）−フロ［２,３−ｂ］ピリジン］の０.０００５ミリグラム／kg〜２.０ミリグラム／kgの範囲の少なくとも１回の治療有効用量が投与されるように用いられることを特徴とする、上記化合物を含有する医薬。
【請求項５】
統合失調症の患者における認知障害を改善するための医薬であって、
（Ｒ）−スピロ［１−アザビシクロ［２.２.２］オクタン−３,２'（３'Ｈ）−フロ［２,３−ｂ］ピリジン］の０.０００５ミリグラム／kg〜２.０ミリグラム／kgの範囲の少なくとも１回の治療有効用量が投与されるように用いられることを特徴とする、上記化合物を含有する医薬。
【請求項６】
（Ｒ）−スピロ［１−アザビシクロ［２.２.２］オクタン−３,２'（３'Ｈ）−フロ［
２,３−ｂ］ピリジン］の治療有効用量が０.１７〜４４ナノモルの間のＣmax血漿レベルを与えるために十分である、請求項１〜５のいずれか１項に記載の医薬。
【請求項７】
治療有効用量が０.６〜１５ナノモルの間のＣmax血漿レベルを与えるために十分である、請求項６に記載の医薬。
【請求項８】
統合失調症の対象を確認後に、該対象に（Ｒ）−スピロ［１−アザビシクロ［２.２.２］オクタン−３,２'（３'Ｈ）−フロ［２,３−ｂ］ピリジン］の少なくとも１回の治療有効用量が投与されるように用いられることを更に含み、ここで、該用量が０.０００５ミリグラム／kg〜２.０ミリグラム／kgの範囲にあることを特徴とする、統合失調症の対象における認知障害を改善するための、上記化合物を含有する医薬。
【請求項９】
認知障害改善の持続時間を測定した後に、認知障害の該改善を維持するのに十分な間隔で投与するために（Ｒ）−スピロ［１−アザビシクロ［２.２.２］オクタン−３,２'（３'Ｈ）−フロ［２,３−ｂ］ピリジン］のさらなる治療有効用量が用いられることをさらに特徴とする、請求項８に記載の医薬。
【請求項１０】
治療有効用量が、０.０００５ｍｇ〜０.０２６ｍｇ；０.０２６１ｍｇ〜０.０５ｍｇ；０.０５１ｍｇ〜０.１ｍｇ；０.１１ｍｇ〜０.１８ｍｇ；０.１８１ｍｇ〜０.２５ｍｇ；０.２５１ｍｇ〜０.５ｍｇ；０.５１ｍｇ〜０.７ｍｇ；０.７１ｍｇ〜０.８５ｍｇ；０.８５１ｍｇ〜１ｍｇ；１.０１ｍｇ〜１.１５ｍｇ；１.１５１ｍｇ〜１.３５ｍｇ；１.３５１ｍｇ〜１.４５ｍｇ；１.４５１ｍｇ〜１.６ｍｇ；１.６１ｍｇ〜１.７５ｍｇ；１.７５１ｍｇ〜１.８７ｍｇ、又は１.８７１ｍｇ〜２ｍｇから選ばれる、請求項１〜９のいずれか１項に記載の医薬。
【請求項１１】
単位投与当たり０.０００５ミリグラム〜２.０ミリグラムの間の量の（Ｒ）−スピロ［１−アザビシクロ［２.２.２］オクタン−３,２'（３'Ｈ）−フロ［２,３−ｂ］ピリジン］を少なくとも１つの薬学的に許容しうる賦形剤、希釈剤又は担体と共に含む薬剤組成物。
【請求項１２】
単位投与当たり０.１７〜４４ナノモルの間のＣmax血漿レベルを与えるのに十分な（Ｒ）−スピロ［１−アザビシクロ［２.２.２］オクタン−３,２'（３'Ｈ）−フロ
［２,３−ｂ］ピリジン］の治療有効量を含む、請求項１１に記載の薬剤組成物。
【請求項１３】
（Ｒ）−スピロ［１−アザビシクロ［２.２.２］オクタン−３,２'（３'Ｈ）−フロ［
２,３−ｂ］ピリジン］の治療有効量が、０.６〜１５ナノモルの間のＣmax血漿レベルを与えるのに十分である、請求項１２に記載の薬剤組成物。
【請求項１４】
０.０００５ミリグラム／kg〜２.０ミリグラム／kgの範囲の治療有効用量を含む薬剤の製造における（Ｒ）−スピロ［１−アザビシクロ［２.２.２］オクタン−３,２'（３'Ｈ）−フロ［２,３−ｂ］ピリジン］の使用。
【請求項１５】
治療有効用量が０.０００５ｍｇ〜０.０２６ｍｇ；０.０２６１ｍｇ〜０.０５ｍｇ；０.０５１ｍｇ〜０.１ｍｇ；０.１１ｍｇ〜０.１８ｍｇ；０.１８１ｍｇ〜０.２５ｍｇ；０.２５１ｍｇ〜０.５ｍｇ；０.５１ｍｇ〜０.７ｍｇ；０.７１ｍｇ〜０.８５ｍｇ；０.８５１ｍｇ〜１ｍｇ；１.０１ｍｇ〜１.１５ｍｇ；１.１５１ｍｇ〜１.３５ｍｇ；１.３５１ｍｇ〜１.４５ｍｇ；１.４５１ｍｇ〜１.６ｍｇ；１.６１ｍｇ〜１.７５ｍｇ；.１.７５１ｍｇ〜１.８７ｍｇ、又は１.８７１ｍｇ〜２ｍｇから選ばれる、請求項１４に記載の薬剤の製造における（Ｒ）−スピロ［１−アザビシクロ［２.２.２］オクタン−３,２'（３'Ｈ）−フロ［２,３−ｂ］ピリジン］の使用。
【請求項１６】
０.０２６ｍｇ〜１.８７１ｍｇ；０.０２６１ｍｇ〜１.８７ｍｇ；０.０５ｍｇ〜１.７
５１ｍｇ；０.０５１ｍｇ〜１.７５ｍｇ；０.１ｍｇ〜１.６１ｍｇ；０.１１ｍｇ〜１.６ｍｇ；０.１８ｍｇ〜１.４５１ｍｇ；０.１８１ｍｇ〜１.４５ｍｇ；０.２５ｍｇ〜１.３５１ｍｇ；０.２５１ｍｇ〜１.３５ｍｇ；０.５ｍｇ〜１.１５１ｍｇ；０.５１ｍｇ〜１.１５ｍｇ；０.７ｍｇ〜１.０１ｍｇ；０.７１ｍｇ〜１.０ｍｇ、又は０.８５ｍｇ〜０.８５１ｍｇを含む薬剤の製造における、（Ｒ）−スピロ［１−アザビシクロ［２.２.２］オクタン−３,２'（３'Ｈ）−フロ［２,３−ｂ］ピリジン］の使用。
【手続補正書】
【提出日】平成23年2月1日(2011.2.1)
【手続補正１】
【補正対象書類名】特許請求の範囲
【補正対象項目名】全文
【補正方法】変更
【補正の内容】
【特許請求の範囲】
【請求項１】
プロピコナゾールと共結晶形成化合物またはビフェニル誘導体との共結晶であって、該共結晶形成化合物は、ヒドロキシル（アルコール及びフェノールを含む）、ケトン、カルボン酸、アミド、第一アミン、第二アミン、第三アミン、ｓｐ２アミン、ジアゾ、Ｎ−複素環式環、ピリミジンまたはピリジンから選択される少なくとも１つの官能基を有する共結晶形成化合物であるか、または該ビフェニル誘導体は、一もしくは両方のフェニル環のオルト、メタもしくはパラ位の少なくとも１つが独立に−ＯＨ，−ＲＯＨ，−Ｃ（Ｏ）Ｈ，−Ｃ（Ｏ）Ｒ’，−ＣＯＯＨ，−ＲＣＯＯＨ，−ＮＨ２，−ＲＮＨ２，−ＮＨＲ’，−ＲＮＨＲ’，−ＮＲ’２，−ＲＮＲ’２，−ＮＨＯＲ’，−ＲＮＨＯＲ’（式中、Ｒはアルキレン基またはアシル基（−Ｃ（Ｏ）Ｒ’’−）であり、Ｒ’はアルキル基であり、そしてＲ’’はアルキレン基である）から選択される適当な水素結合官能基で置換されたビフェニル誘導体である、共結晶。
【請求項２】
プロピコナゾールとビフェニル誘導体を含み、該ビフェニル誘導体の一または両方のフェニル環のオルト、メタまたはパラ位の少なくとも１つは独立に−ＯＨ，−ＲＯＨ，−Ｃ（Ｏ）Ｈ，−Ｃ（Ｏ）Ｒ，−ＣＯＯＨ，−ＲＣＯＯＨ，−ＮＨ２，−ＲＮＨ２，−ＮＨＲ，−ＲＮＨＲ，−ＮＲ２，−ＲＮＲ２，−ＮＨＯＲ’，−ＲＮＨＯＲ’（式中、Ｒはアルキレン基または−Ｃ（Ｏ）Ｒ’’であり、Ｒ’はアルキル基であり、そしてＲ’’はアルキレン基である）から選択される適当な水素結合官能基で置換された、共結晶。
【請求項３】
該水素結合官能基は−ＯＨ，−ＲＯＨ，−ＣＯＯＨ，−ＲＣＯＯＨ，−ＮＨ２，−ＲＮＨ２，−ＮＨＲ’およびＲＮＨＲ’’から選択される、請求項２に記載の共結晶。
【請求項４】
該共結晶形成化合物は１，９−ノナンジオール、２，３，５，６−テトラヒドロキシベンゾキノン、１５−ヒドロキシペンタデカン酸、５−ヒドロキシ−２−メチルピリジン、２−ヒドロキシ−６−メチルピリジン、ニコチンアミド、イソニコチンアミド、４−（３Ｈ）−ピリミジノン、メチルヒドラジノカルボキシレート、４，４’−ジヒドロキシビフェニルまたは４，４−ジヒドロキシシクロヘキシリジンビスフェノールを含む群から選択される、請求項１に記載の共結晶。
【請求項５】
該共結晶形成化合物は２，３，５，６−テトラヒドロキシベンゾキノンである、請求項４に記載の共結晶。
【請求項６】
該共結晶形成化合物は５−ヒドロキシ−２−メチルピリジンである、請求項４に記載の共結晶。
【請求項７】
該共結晶形成化合物はニコチンアミドである、請求項４に記載の共結晶。
【請求項８】
該共結晶形成化合物はイソニコチンアミドである、請求項４に記載の共結晶。
【請求項９】
該共結晶形成化合物は４，４’−ジヒドロキシビフェニルである、請求項４に記載の共結晶。
【請求項１０】
該共結晶形成化合物は４，４−ジヒドロキシシクロヘキシリジンビスフェノールである、請求項１に記載の共結晶。
【請求項１１】
ａ）プロピコナゾールと共結晶形成化合物を粉砕するか、プロピコナゾール及び／又は共結晶形成化合物を加熱するか、又は溶液中でプロピコナゾールを共結晶形成化合物と固相を形成するように結晶化条件の下に接触させ；
ｂ）プロピコナゾールと該共結晶形成化合物を含む共結晶を単離すること
を含む、請求項１〜１０のいずれか１項に記載の共結晶を調製する方法。
【請求項１２】
請求項１〜１０のいずれか１項に記載の共結晶を含む殺カビ剤組成物。
【請求項１３】
農薬組成物である、請求項１２に記載の組成物。
【請求項１４】
請求項１３に記載の殺カビ有効量の農業用組成物で植物を処理することを含む、植物のカビ感染を防止／抑制する方法。
【請求項１５】
請求項１３に記載の組成物を含む農薬配合物であって、懸濁濃厚物である農薬配合物。
【請求項１６】
請求項１２に記載の組成物で工業資材を処理することを含む、工業資材のカビ襲撃からの保護方法。
【手続補正書】
【提出日】平成22年10月13日(2010.10.13)
【手続補正１】
【補正対象書類名】特許請求の範囲
【補正対象項目名】全文
【補正方法】変更
【補正の内容】
【特許請求の範囲】
【請求項１】
キャリアー及び熱膨張可能な材料から構成された合成ワークピースであって、
上記キャリアーは、Ｃ形状に形成された溝をその端部の周囲に配置した中央板を含み、上記溝は、上記中央板の面に対して反対の位置に横方向にオフセットされ、
Ｃ形状に形成された溝は、端部の第１部分にて、キャリアープレートの上部側に位置し、端部の第２部分にて、キャリアープレートの下部側に位置するように、中央板の面に対して横方向にオフセットされている、合成ワークピース。
【請求項２】
周囲の溝は、キャリアープレートの上部側に位置する溝及びキャリアープレートの下部側に位置する溝が遷移側で互いに遷移する遷移領域を形成し、上記遷移領域は、熱膨張可能な材料用の拡大したボリューム・エレメントを備える、請求項１記載の合成ワークピース。
【請求項３】
上記中央板は、実質的に平面、凸、又は階段状の形態である、請求項１又は２記載の合成ワークピース。
【請求項４】
熱膨張可能な材料は、Ｃ形状の溝に配置される、請求項１から３のいずれかに記載の合成ワークピース。
【請求項５】
車両ボディーの空洞を密閉するための熱膨張可能な仕切り部品（「バッフル」又は「ピラーフィラー」）であって、請求項１から４のいずれかに記載の合成ワークピースから作製可能な仕切り部品。
【請求項６】
キャリアーは、乗り物の空洞に仕切り部品を固定する、少なくとも一つの固定要素を備える、請求項５記載の熱膨張可能な仕切り部品。
【請求項７】
キャリアーは、熱可塑性プラスチック材で作られている、請求項５又は６に記載の熱膨張可能な仕切り部品。
【請求項８】
熱可塑性プラスチック材は、ポリアミド、ポリイミド、ポリオキシプロピレン、あるいはポリエチレンテレフタレートから選択される、請求項７記載の熱膨張可能な仕切り部品。
【請求項９】
ポリアミドは、ポリアミド−６である、請求項８記載の熱膨張可能な仕切り部品。
【請求項１０】
熱膨張可能な材料は、エチレン共重合体及び推進剤の少なくとも一つを含む、請求項５から９のいずれかに記載の熱膨張可能な仕切り部品。
【請求項１１】
請求項５から１０のいずれかに記載の熱膨張可能な仕切り部品を製造する方法であって、
（ａ）可動な半分ずつの金型を備えた射出成形金型で、該金型は、キャリアーの中央板が半分ずつの金型の移動方向に平行に延在するよう構成され、上記射出成形金型にキャリアー用の熱可塑性物質を注入すること、
（ｂ）キャリアーを型から外すこと、
（ｃ）Ｃ形状の溝へ熱膨張可能な材料を注入すること、
（ｄ）仕切り部品を型から外すこと、
を備えたことを特徴とする方法。
【請求項１２】
Ｃ又はＵ形状の上記溝を構成する可動スライダーを備えていない注入金型が上記（ａ）のステップで使用される、請求項１１記載の方法。
【手続補正書】
【提出日】平成22年12月9日(2010.12.9)
【手続補正１】
【補正対象書類名】特許請求の範囲
【補正対象項目名】全文
【補正方法】変更
【補正の内容】
【特許請求の範囲】
【請求項１】
クロロゲン酸：クエルセチン：ミリセチンの重量比が１:２〜４:２〜４の範囲にある、治療的に有効量のクエルセチン、ミリセチンおよびクロロゲン酸を含む、糖尿病または肥満症の治療または予防用組成物。
【請求項２】
クエルセチン約50 mg〜約500 mg、ミリセチン約50ｍｇ〜約500 mgおよびクロロゲン酸約25ｍｇ〜約150 mg を含む、請求項１に記載の組成物。
【請求項３】
クロロゲン酸：クエルセチン：ミリセチンの重量比が１:２〜４:２〜４の範囲にある、有効量のクエルセチン、ミリセチンおよびクロロゲン酸を含む、炭水化物含有食品のグリセミック指数低下用組成物。
【請求項４】
請求項３に記載の組成物を含む食品添加物。
【請求項５】
請求項４に記載の食品添加物を含む食品。
【手続補正書】
【提出日】平成23年2月9日(2011.2.9)
【手続補正１】
【補正対象書類名】特許請求の範囲
【補正対象項目名】全文
【補正方法】変更
【補正の内容】
【特許請求の範囲】
【請求項１】
基材と、
前記基材にオーバーレイする光熱変換層と、
を含んでなり、
ＬＩＴＥフィルムの表面が、その上に選択的にエンボス加工された微細構造化表面を有することができる、
レーザー励起熱エンボス加工（ＬＩＴＥ）フィルム。
【請求項２】
微細複製工具を製作する方法であって、
基材と前記基材にオーバーレイする光熱変換層とを含む、レーザー誘起熱エンボス加工（ＬＩＴＥ）フィルムを提供することと、
前記光熱変換層が前記微細構造に接触した状態で、微細構造のパターンを含むマスター工具に、前記ＬＩＴＥフィルムをラミネートすることと、
前記ＬＩＴＥフィルムをパターンごとに画像化して、前記光熱変換層を選択的に露光することと、
前記マスター工具を取り除いて、前記ＬＩＴＥフィルム上に、前記マスター工具の前記微細構造に対応する微細構造化パターンを製造することと、
を含んでなる、方法。
【請求項３】
構造化された転写層を有する熱ドナーフィルムを製造する方法であって、
基材と前記基材にオーバーレイする光熱変換層とを含むレーザー誘起熱エンボス加工（ＬＩＴＥ）フィルムを提供することと、
前記光熱変換層が前記微細構造に接触した状態で、微細構造のパターンを含むマスター工具に、前記ＬＩＴＥフィルムをラミネートすることと、
前記ＬＩＴＥフィルムをパターンごとに画像化して、前記光熱変換層を選択的に露光することと、
前記マスター工具を取り除いて、前記ＬＩＴＥフィルム上に、前記マスター工具の前記微細構造に対応する微細構造化パターンを製造することと、
前記ＬＩＴＥフィルム上の前記微細構造化パターンに、転写層を適用することと、
を含んでなり、
前記ＬＩＴＥフィルムが、レセプタと密接に接触して保持されると同時に、前記転写層が前記レセプタに対して保持されている間に、前記ＬＩＴＥフィルムが照射される場合に、前記レセプタに前記転写層の一部の転写を生じる、方法。
【手続補正書】
【提出日】平成23年3月14日(2011.3.14)
【手続補正１】
【補正対象書類名】特許請求の範囲
【補正対象項目名】全文
【補正方法】変更
【補正の内容】
【特許請求の範囲】
【請求項１】
治療用ガスを哺乳動物に送達するのに使用する、酸化窒素を含む治療用ガスの発生キットであって：
透過管又は圧力調整器に取付けるように構成された容器を備え、該容器は入口、出口、及び酸化防止剤で被覆された表面活性材料を備え、該入口が該透過管からの二酸化窒素の流れを受け取り、かつ該流れを表面活性材料を通して該出口へと流体連通させて、周囲温度にて気体状の二酸化窒素を酸化窒素に変換するように構成される、前記キット。
【請求項２】
前記透過管が、二酸化窒素の供給源に接続するように構成された拡散セルに接続される、請求項1記載のキット。
【請求項３】
該透過管の長さが、特定の温度にて所定用量の二酸化窒素を供給するように定められる、請求項1又は2のいずれか1項記載のキット。
【請求項４】
前記透過管が、該管の長さ以上の、可動性で非透過性の被覆をさらに備える、請求項1〜3のいずれか1項記載のキット。
【請求項５】
前記透過管が、拡散針を介して前記拡散セルに接続される、請求項1〜4のいずれか1項記載のキット。
【請求項６】
前記拡散針が、針の側面の穴、及び該穴を包囲している外部被覆をさらに備え、該被覆が、所望の穴の覆いを回転してはずすように構成された該針の周囲と適合した溝を有する、請求項5記載のキット。
【請求項７】
前記圧力調整器が、二酸化窒素の供給源に接続するように構成され、かつ、該容器が、空気中に二酸化窒素を有するガスボンベに取付けられるように構成され、気体状の二酸化窒素及び空気の流れを供給することが可能である、請求項1記載のキット。
【請求項８】
二酸化窒素を有するガスボンベをさらに備え、かつ気体状の二酸化窒素を空気流に拡散させて供給することが可能である、請求項7記載のキット。
【請求項９】
前記容器が、前記圧力調整器の低圧力側に設置される、請求項7又は8のいずれか1項記載のキット。
【請求項１０】
前記圧力調整器が、前記容器と空気中の二酸化窒素を有するガスボンベとを接続する、入口部及び出口部を備える、請求項7〜9のいずれか1項記載のキット。
【請求項１１】
前記容器が、カートリッジを含む、請求項1〜10のいずれか1項記載のキット。
【請求項１２】
前記表面活性材料が、水分を保持する担体を含む、請求項1〜11のいずれか1項記載のキット。
【請求項１３】
前記酸化防止剤が、アスコルビン酸、αトコフェロール、又はγトコフェロールを含む、請求項1〜12のいずれか1項記載のキット。
【請求項１４】
前記二酸化窒素の供給源が、液体二酸化窒素である、請求項1〜13のいずれか1項記載のキット。
【請求項１５】
前記容器が第1の容器である、請求項1〜14のいずれか1項記載のキットであって、該キットが、第2の入口、第2の出口、及び酸化防止剤の水性溶液によって被覆された第2の表面活性材料を有する第2の容器をさらに備え、該第2の入口が該第1の容器からの流れを受け取り、かつ該流れを第2の表面活性材料を通して第2の出口へと流体連結させて、周囲温度にて気体状の二酸化窒素を酸化窒素に変換するように構成される、前記キット。
【請求項１６】
哺乳動物に治療用量の酸化窒素を供給するための、請求項1〜15のいずれかに記載のキットの使用。
【手続補正書】
【提出日】平成22年12月7日(2010.12.7)
【手続補正１】
【補正対象書類名】特許請求の範囲
【補正対象項目名】全文
【補正方法】変更
【補正の内容】
【特許請求の範囲】
【請求項１】
折畳み可能な輸送用コンテナであって、
２つ以上の部分（Ｂ１、Ｂ２）に分割された平らで折畳み可能なベース（Ｂ）と、
少なくとも２つの部分に分割された折畳み可能なトップ（Ｔ）と、を有し、前記トップの各部分は、互いに直ぐ隣り合う部分に、前記トップの折畳みを容易にするトップ折畳み機構によって結合され、
更に、少なくとも２つの対向する側面部（ＳＳ１、ＳＳ２）を有し、1つの前記側面部の一方の端部は、前記ベースに固定され、その他方の端部は、前記トップに固定され、
更に、前記側面部に連結される少なくとも２つの折畳み可能なパネル（ＦＳ１、ＦＳ２）を有し、前記パネルの各々は、少なくとも２つの部分と、複数のヒンジとを有し、前記ヒンジは、前記パネルの水平方向の折畳みを容易にするように、前記側面部の何れかから解放されることなしに前記パネルを内方に折畳む、輸送用コンテナ。
【請求項２】
更に、前記コンテナを折畳むために、前記ベースの折畳みを容易にするように前記ベースの部分（Ｂ１、Ｂ２）を連結するベース折畳み機構を有する、請求項１に記載の輸送用コンテナ。
【請求項３】
前記ベース折畳み機構は、ヒンジ機構又はそれと等価な任意の機構である、請求項２に記載の輸送用コンテナ。
【請求項４】
前記ベース折畳み機構は、複数のリンク（Ｌ１、Ｌ２、Ｌ３）を有し、
前記第１のリンク（Ｌ１）は、前記ベース（Ｂ１）の第１の部分に固定され、
前記第２のリンク（Ｌ２）の一方の端部は、第１の回転軸（Ｒ１）を介して前記ベースの第２の部分（Ｂ２）に連結され、その他方の端部は、第２の回転軸（Ｒ２）を介して第１のリンク（Ｌ１）に連結され、
前記第３のリンク（Ｌ３）の一方の端部は、第３の回転軸（Ｒ３）を介して第１のリンク（Ｌ１）に連結され、その他方の端部は、第４の回転軸（Ｒ４）を介して前記ベースの第２の部分（Ｂ２）に連結される、請求項２に記載の輸送用コンテナ。
【請求項５】
コンテナ内への流体の侵入を防止するシール機構を、相対移動する全ての縁部のところに有する、請求項１に記載の輸送用コンテナ。
【請求項６】
コンテナへの積込み及びコンテナからの積出しを容易にする開口が、前記コンテナの側面部、トップ又はベースのいずれかに設けられる、請求項１に記載の輸送用コンテナ。
【請求項７】
折畳み可能な輸送用コンテナであって、
２つ以上の部分（Ｂ１、Ｂ２）に分割された平らで折畳み可能なベース（Ｂ）を有し、前記ベースの各部分は、互いに直ぐ隣り合う部分に、前記ベースの折畳みを容易にするベース折畳み機構によって連結され、
更に、少なくとも２つの部分に分割された折畳み可能なトップ（Ｔ）を有し、前記トップの各部分は、互いに直ぐ隣り合う部分に、前記トップの折畳みを容易にするトップ折畳み機構によって連結され、
更に、少なくとも２つの対向する側面部（ＳＳ１、ＳＳ２）を有し、１つの前記側面部一方の端部は、前記ベースに固定され、その他方の端部は、前記トップに固定され、
更に、前記側面部に連結される少なくとも２つの折畳み可能なパネル（ＦＳ１、ＦＳ２）を有し、前記パネルは、前記パネルの水平方向の折畳みを容易にするように前記パネルを内方に折畳む折畳み機構を有し、
更に、前記側面部に連結される少なくとも２つの折畳み可能なパネル（ＦＳ１、ＦＳ２）を有し、前記パネルの各々は、少なくとも２つの部分と、複数のヒンジとを有し、前記ヒンジは、前記パネルの水平方向の折畳みを容易にするように、前記側面部の何れかから解放されることなしに前記パネルを内方に折畳み、
前記ベース折畳み機構は、複数のリンク（Ｌ１、Ｌ２、Ｌ３）を有し、
前記第１のリンク（Ｌ１）は、前記ベースの第１の部分（Ｂ１）に固定され、
前記第２のリンク（Ｌ２）は、その一方の端部が第１の回転軸（Ｒ１）を介して前記ベースの第２の部分（Ｂ２）に連結され、その他方の端部が第２の回転軸（Ｒ２）を介して第１のリンク（Ｌ１）に連結され、
前記第３のリンク（Ｌ３）は、その一方の端部が第３の回転軸（Ｒ３）を介して第１のリンク（Ｌ１）に連結され、その他方の端部が第４の回転軸（Ｒ４）を介して前記ベースの第２の部分（Ｂ２）に連結される、折畳み可能な輸送用コンテナ。
【手続補正２】
【補正対象書類名】明細書
【補正対象項目名】００１３
【補正方法】変更
【補正の内容】
【００１３】
特許文献２は、つぶし可能（折り畳み可能）で積重ね可能な貯蔵用又は輸送用コンテナの改良に関し、コンテナにおいて、壁、端部分、及び端部分を枢動可能に連結するヒンジ要素の全てが、成形プラスチック材料で形成され、枢動可能に連結された隣接した壁又は壁部分及びこれらのヒンジ要素が、プラスチック又は金属の横断枢動ピンによって互いに連結されている。特許文献３は、別のつぶし可能（折り畳み可能）で積重ね可能な貯蔵用又は輸送用コンテナを開示している。このコンテナは、それを折り畳んだり開いたりするときに回転する壁と、折り畳み工程の間に開いている両端部を有している。
【手続補正３】
【補正対象書類名】明細書
【補正対象項目名】００１５
【補正方法】変更
【補正の内容】
【００１５】
【特許文献１】米国特許第４１７７９０７号明細書
【特許文献２】米国特許第４６３０７４６号明細書
【特許文献３】欧州特許第０８３２８２５Ａ１号明細書
【手続補正書】
【提出日】平成23年3月8日(2011.3.8)
【手続補正１】
【補正対象書類名】特許請求の範囲
【補正対象項目名】全文
【補正方法】変更
【補正の内容】
【特許請求の範囲】
【請求項１】
改竄防止装置を含む多重壁型容器であって、
容器の外壁にして、成型したポリメリック材料から形成され且つ物品をその内部に保存可能な保存スペースを画定する外壁と、
容器の内側スリーブにして、容器の外壁が画定する保存スペース内に設けられ、ポリメリック組成物を成型又は押し出し形成して形成され、容器の外壁に隣り合う外側表面を有する内側スリーブと、
内側スリーブの外側表面に被着した改竄防止装置にして、内側スリーブと外壁との間に挟持された改竄防止装置と、
を含む多重壁型容器。
【請求項２】
改竄防止装置が、ラベルと基材とを含み、基材が、容器の内側スリーブのポリメリック組成物との互換性を有するポリメリック材料からなる請求項１の多重壁型容器。
【請求項３】
改竄防止装置がアンテナである請求項１の多重壁型容器。
【請求項４】
アンテナが、導電性インクを使用して印刷される請求項３の多重壁型容器。
【請求項５】
アンテナが箔材料から形成される請求項３の多重壁型容器。
【請求項６】
箔材料が孔開け又は賦形される請求項５の多重壁型容器。
【請求項７】
アンテナがラベル上に配置される請求項３の多重壁型容器。
【請求項８】
改竄防止装置がＲＦＩＤを含む請求項１の多重壁型容器。
【請求項９】
改竄防止装置が、導電性インクを使用して印刷したラベルを含む請求項１の多重壁型容器。
【請求項１０】
改竄防止装置が、キャリヤ基材内に組み込んだ導電性の金属球を含む請求項１の多重壁型容器。
【請求項１１】
改竄防止装置が、Ｘ線で読み取り可能な箔を含む請求項１の多重壁型容器。
【請求項１２】
チューナーを含むラベルが容器の外壁に被着される請求項１の多重壁型容器。
【請求項１３】
ラベルが、改竄防止装置からの信号を増幅又はキャンセルさせる請求項１２の多重壁型容器。
【請求項１４】
ＲＦＩＤインレーを有する多重壁型容器であって、
容器の外壁にして、成型したポリメリック材料から形成され且つ保存スペースを画定する外壁と、
前記保存スペース内に設けた容器の内壁にして、ポリメリック組成物を成型又は押し出し形成して形成され、容器の外壁に隣り合う外側表面を有する内壁側スリーブと、
内壁と外壁との間に配置したＲＦＩＤインレーと、
を含む多重壁型容器。
【請求項１５】
ＲＦＩＤインレーが容器の内壁の外側表面に被着される請求項１４の多重壁型容器。
【手続補正書】
【提出日】平成23年3月10日(2011.3.10)
【手続補正１】
【補正対象書類名】特許請求の範囲
【補正対象項目名】全文
【補正方法】変更
【補正の内容】
【特許請求の範囲】
【請求項１】
添加剤を含有する陰イオン性粘土の調製のためのプロセスであって、
ア    ２価金属化合物と３価金属化合物との物理的混合物を粉砕するステップと、
イ    前記粉砕された物理的混合物を、約２００℃〜約８００℃の範囲の温度でか焼するステップと、
ウ    前記か焼された混合物を水性懸濁液中で再水和させて、添加剤を含有する陰イオン性粘土を形成するステップと、を含み、
添加剤はステップ（ａ）の前記物理的混合物中に任意選択的に存在し、添加剤はステップ（ｃ）の前記水性懸濁液中に存在し、前記添加剤を含有する陰イオン性粘土は、実質上バナジウムを含まない、プロセス。
【請求項２】
前記か焼温度は約３００〜約７００℃の範囲である、請求項１に記載のプロセス。
【請求項３】
前記ステップａ）の物理的混合物を熟成させるステップをさらに含む、請求項１に記載のプロセス。
【請求項４】
前記２価金属は、マグネシウム、亜鉛、ニッケル、銅、鉄、コバルト、マンガン、カルシウム、バリウム、ストロンチウム、およびそれらの組み合わせである、請求項１に記載のプロセス。
【請求項５】
前記３価金属は、アルミニウム、ガリウム、鉄、クロム、バナジウム、コバルト、マンガン、ニッケル、インジウム、セリウム、ニオブ、ランタン、およびそれらの組み合わせである、請求項１に記載のプロセス。
【請求項６】
前記添加剤は、アルカリ土類金属、ＩＩＩＢ族遷移金属、ＩＶＢ族遷移金属、バナジウムを除くＶＢ族遷移金属、ＶＩＢ族遷移金属、ＶＩＩＢ族遷移金属、ＶＩＩＩ族遷移金属、ＩＢ族遷移金属、ＩＩＢ族遷移金属、ＩＩＩＡ族元素、ＩＶＡ族元素、ＶＡ族元素、ランタニド、およびそれらの混合物からなる群から選択される元素を含む化合物であるが、ただし、前記元素は、ステップａ）の前記２価および前記３価金属化合物を構成する金属とは異なる、請求項１に記載のプロセス。
【請求項７】
前記添加剤は、鉄、亜鉛、ジルコニウム、ニオブ、銀、マンガン、銅、クロム、ロジウム、およびそれらの組み合わせからなる群から選択される元素を含む化合物である、請求項６に記載のプロセス。
【請求項８】
前記形成された添加剤を含有する陰イオン性粘土を後にか焼するステップをさらに含む、請求項１に記載のプロセス。
【請求項９】
前記後にか焼された添加剤を含有する陰イオン性粘土を再水和するステップをさらに含む、請求項８に記載のプロセス。
【請求項１０】
ステップ（ｃ）の間に陰イオン性物質が存在する、請求項１に記載のプロセス。
【請求項１１】
前記２価金属化合物および／または前記３価金属化合物は、ドーパントを含有する金属化合物である、請求項１に記載のプロセス。
【請求項１２】
ア    ２価金属化合物と３価金属化合物との物理的混合物を粉砕するステップと、
イ    前記粉砕された物理的混合物を、約２００℃〜約８００℃の範囲の温度でか焼するステップと、
ウ    前記か焼された混合物を水性懸濁液中で再水和させて、添加剤を含有する陰イオン性粘土を形成するステップと、を含むプロセスによって製造される陰イオン性粘土
であって、
添加剤はステップ（ａ）の前記物理的混合物中に任意選択的に存在し、添加剤はステップ（ｃ）の前記水性懸濁液中に存在し、前記陰イオン性粘土は、実質上バナジウムを含まない、陰イオン性粘土。
【請求項１３】
前記ステップａ）の物理的混合物を熟成させるステップをさらに含む、請求項１２に記載の陰イオン性粘土。
【請求項１４】
ＦＣＣ再生器からのＳＯｘ排出量を低減させるための方法であって、２価金属化合物と３価金属化合物との物理的混合物を粉砕するステップと、前記粉砕された物理的混合物を、約２００℃〜約８００℃の範囲の温度でか焼するステップと、前記か焼された混合物を水性懸濁液中で再水和させて、添加剤を含有する陰イオン性粘土を形成するステップと、を含むプロセスによって製造される前記陰イオン性粘土を、前記ＦＣＣ再生器に加えるステップを含み、添加剤は前記物理的混合物中に任意選択的に存在し、添加剤は前記水性懸濁液中に存在し、前記陰イオン性粘土は実質上バナジウムを含まない、方法。
【請求項１５】
前記物理的混合物を、約２０〜約９０℃の範囲の温度で、約１５分〜約６時間熟成させるステップをさらに含む、請求項１４に記載の方法。